(57)【要約】【課題】常夜灯を点灯した状態において、セードに局所的に明るい部分や暗い部分が生じにくく、常夜灯点灯時の外観体裁が良好な照明器具を提供する。【解決手段】器具本体２１と、基板４３と、基板４３上に配置される複数のＬＥＤ素子４２と、を有し、複数のＬＥＤ素子４２のうち一部のＬＥＤ素子４２Ａを常夜灯として使用するとともに、器具本体２１に配置される光源部４１と、器具本体２１に装着されるセード５１と、器具本体２１とセード５１との間において光源部４１を覆うように配置されるとともに、少なくとも常夜灯として使用するＬＥＤ素子４２Ａに対応する位置に光拡散部６５を有する透光性の保護カバー６０と、を備える。【選択図】図２
2014049350.tif 000002
【特許請求の範囲】
【請求項１】
器具本体と、
基板と、前記基板上に配置される複数のＬＥＤ素子と、を有し、前記複数のＬＥＤ素子のうち一部のＬＥＤ素子を常夜灯として使用するとともに、前記器具本体に配置される光源部と、
前記器具本体に装着されるセードと、
前記器具本体と前記セードとの間において前記光源部を覆うように配置されるとともに、少なくとも前記常夜灯として使用するＬＥＤ素子に対応する位置に光拡散部を有する透光性の保護カバーと、
を備えることを特徴とする照明器具。
【請求項２】
請求項１に記載の照明器具であって、
前記光拡散部は、前記保護カバーに設けられる光拡散部材である、
ことを特徴とする照明器具。
【請求項３】
請求項１又は２のいずれか１項に記載の照明器具であって、
前記保護カバーは、複数の保護部材で構成されており、
前記光拡散部は、前記複数の保護部材のうちの一部又は全部に光拡散処理を施すことにより構成される、
ことを特徴とする照明器具。
【発明の詳細な説明】
【技術分野】
【０００１】
本発明は、ＬＥＤを光源とする照明器具に関する。
【背景技術】
【０００２】
従来、発光ダイオード（ＬＥＤ）を主光源として用いた照明器具が知られている。主光源用のＬＥＤの配置構成として、例えば、シーリングライト（天井直付け灯）では、器具中央にＬＥＤ点灯用の電源装置等を配置し、その周りに主光源用のＬＥＤを配置する場合が多い。
【０００３】
また、常夜灯（保安灯）として使用するＬＥＤを設けた照明器具も知られている。常夜灯の配置構成として、主光源用のＬＥＤから離れた器具中央位置に常夜灯として使用するＬＥＤを配置する場合がある。この場合、電源装置等を避けて常夜灯として使用するＬＥＤを配置しなければならないなど、照明器具の構造が複雑になり、コストが増加するという問題がある。そこで、主光源用のＬＥＤと同じ位置に常夜灯として使用するＬＥＤを配置した照明器具が知られている（例えば、特許文献１参照。）。
【先行技術文献】
【特許文献】
【０００４】
【特許文献１】特開２０１２−８９２８１号公報
【発明の概要】
【発明が解決しようとする課題】
【０００５】
ところで、主光源として必要な光量や均一な配光を点光源であるＬＥＤで確保するため、主光源用のＬＥＤは、例えば基板上にＬＥＤ素子を多数配置している。このため、主光源用のＬＥＤを点灯させた状態では、セードに局所的に明るい部分や、暗い影部分は生じにくい。
【０００６】
一方、常夜灯は、例えば基板に配置される１〜２個のＬＥＤ素子で常夜灯として十分な光量が得られる。しかしながら基板に配置される１〜２個のＬＥＤ素子だけで均一な配光を確保することは難しい。このため、常夜灯を点灯すると、セードに局所的に明るい部分や、暗い影部分が生じることがあり、常夜灯点灯時の外観体裁が良好でないという問題があった。
【０００７】
本発明は、上記の問題を解決すべくなされたものである。本発明の目的は、常夜灯を点灯した状態において、セードに局所的に明るい部分や暗い部分が生じにくく、常夜灯点灯時の外観体裁が良好な照明器具を提供することである。
【課題を解決するための手段】
【０００８】
即ち、本願に開示する照明器具は、
器具本体と、
基板と、基板上に配置される複数のＬＥＤ素子と、を有し、複数のＬＥＤ素子のうち一部のＬＥＤ素子を常夜灯として使用するとともに、器具本体に配置される光源部と、
器具本体に装着されるセードと、
器具本体とセードとの間において光源部を覆うように配置されるとともに、少なくとも常夜灯として使用するＬＥＤ素子に対応する位置に光拡散部を有する透光性の保護カバーと、
を備える。
【０００９】
照明器具の光拡散部は、保護カバーに設けられる光拡散部材である。
【００１０】
照明器具の保護カバーは、複数の保護部材で構成されており、
光拡散部は、複数の保護部材のうちの一部又は全部に光拡散処理を施すことにより構成される。
【発明の効果】
【００１１】
本願に開示する照明器具によれば、光拡散部は、常夜灯として使用するＬＥＤ素子から照射される光を拡散させる。このため、常夜灯を点灯した状態において、セードに局所的に明るい部分や暗い部分が生じにくく、常夜灯点灯時の外観体裁を良好にすることができる。
【図面の簡単な説明】
【００１２】
【図１】本発明の実施形態に係る照明器具１１の側面図。
【図２】器具本体２１にＬＥＤ光源モジュール４４、保護カバー６０、及び収容部カバー２８を配置した状態における照射面側の平面図。
【図３】図２のｉｉｉ−ｉｉｉ線における断面の一部を示す図。
【図４】器具本体２１の照射面側の平面図。
【図５】図４のｖ−ｖ線における断面図。
【図６】保護部材６１の平面図。
【図７】図２のｖｉｉ−ｖｉｉ線における断面図。
【図８】器具本体２１にＬＥＤ光源モジュール４４を配置した状態における照射面側の平面図。
【図９】器具本体２１にＬＥＤ光源モジュール４４，及び保護カバー６０を配置した状態における照射面側の平面図。
【発明を実施するための形態】
【００１３】
本発明の実施形態に係る照明器具１１について、図１から図９を用いて説明する。本実施形態に係る照明器具１１は、ＬＥＤを主光源、及び常夜灯として用いる照明器具である。図１に示すように、照明器具１１は、天井等の取付面に直付けされるシーリングライトである。以下の説明では、光を照射する側を照明器具１１の照射面側とし、天井等の取付面に取り付けられる側を取付面側として説明する。
【００１４】
まず、照明器具１１の概略構成について説明する。図１〜図３に示すように、照明器具１１は、主に器具本体２１、電源装置３１、光源部４１、セード５１、及び保護カバー６０を有している。
【００１５】
器具本体２１は、照明器具１１の本体を構成するものである。本実施形態に係る照明器具１１は平面形状が円形であり、器具本体２１の平面視での外形輪郭形状も円形である。器具本体２１の周縁部には、セード５１を保持するための保持部２９が設けられている。
【００１６】
セード５１は、器具本体２１の照射面側を覆うように取り付けられ、光源部４１からの光を反射及び拡散させつつ、外部へ配光する部材である。セード５１は、透光性を有する樹脂素材で形成されている。セード５１の全体形状は、平面形状が円形であり、照射面側に緩やかにドーム状に膨らんでいる。セード５１は、セード５１の内部の清掃や器具本体２１の部品交換等のために器具本体２１に対して着脱できる構造となっている。セード５１の開口縁部には、器具本体２１に取り付けるための被保持部５２が形成されている。
【００１７】
セード５１を器具本体２１に取り付ける場合、詳細は省略するが、セード５１を器具本体２１の取り付け位置に配置して第１の方向に回動させると、セード５１の被保持部５２が器具本体３１の保持部２９に保持されてセード５１が器具本体２１に取り付けられる。また、セード５１が器具本体３１に取り付けられた状態でセード５１を第１の方向とは逆の第２の方向に回動させると、器具本体３１の被保持部５２がセード５１の保持部２９から外れて、セード５１を器具本体２１から取り外すことができる。
【００１８】
次に器具本体２１について詳細に説明する。図２〜図４に示すように、器具本体２１は、照明器具１１の本体を構成するものである。本実施形態に係る照明器具１１は平面形状が円形であり、器具本体２１の平面視での外形輪郭形状も円形である。器具本体２１は、主として収容部２３、取付穴２４、基板取付部２５、第１保護部材取付部２６、及び第２保護部材取付部２７を有している。器具本体２１は、熱伝導性を有するアルミニウム等の金属板で形成されている。本実施形態では、基板取付部２５、第１保護部材取付部２６、及び第２保護部材取付部２７等は、板金加工により形成されている。
【００１９】
収容部２３は、器具本体２１の半径方向中央部に設けられる。収容部２３は、光源部４１を点灯させるための電源装置３１や点灯装置（図示せず）等が収容される部分である。収容部２３は、収容部カバー２８で覆われており、内部に電源装置３１や点灯装置等を収容するための高さ、及び幅が確保されている。収容部カバー２８は、光源部４１に隣接して設けられているため、収容部カバー２８が光源部４１からの光を遮ると、セード５１に収容部カバー２８の影が映ることとなる。このため、収容部カバー２８の外周側は、傾斜面２８Ａに形成され、光源部４１からの光を遮りにくくしている。収容部カバー２８の外周部にはフランジ部２８１が形成されており、フランジ部２８１には、器具本体２１に取り付けるための貫通孔２８２が形成されている。
【００２０】
取付穴２４は、照明器具１１を天井に取り付ける際、アダプタ（図示せず）を取り付ける部分である。取付穴２４は、器具本体２１の半径方向中心となる位置に設けられている。取付穴２４は、収容部２３の下面側から器具本体２１の上面側まで貫通して設けられている。照明器具１１を例えば天井に取り付ける場合は、照明器具用の天井配線器具（引っ掛けシーリング）にアダプタを取付け、取付穴２４にアダプタを差し込むようにして取り付ける。
【００２１】
電源装置３１は、点灯装置（図示せず）等とともに光源部４１を点灯させるための装置である。電源装置３１及び点灯装置等は、収容部２３に収容されている。電源装置３１にはコネクタ３２が設けられている。照明器具１１を例えば天井に取り付ける際、コネクタ３２をアダプタ側のコネクタ（図示せず）と接続することで、照明器具用の天井配線器具を介して外部電源と電気的に接続される。点灯装置と光源部４１は電線（図示せず）によって電気的に接続されている。
【００２２】
基板取付部２５は、光源部４１が取り付けられる部分である。図３、図５に示すように、基板取付部２５は、器具本体２１の照射面側に突出するように形成されている。器具本体２１の取付面側に対する基板取付部２５の照射面側への突出量をＬ１とする。光源部４１を配置する面は平坦に形成されている。
【００２３】
図４に示すように、基板取付部２５は、複数形成されている。本実施形態では、基板取付部２５は８か所に形成されている。基板取付部２５が形成される領域は、収容部２３を取り囲む領域であり、収容部２３よりも器具本体２１の半径方向外側であって、かつ、器具本体２１の外周縁部よりも器具本体２１の半径方向やや内側の領域である。８か所の基板取付部２５は、この領域において、器具本体２１の半径方向に一定の幅を有する円環を周方向に８等分に分割した形状に形成されている。各基板取付部２５は、隣接する基板取付部２５との間に間隔２５１をおいて形成されている。基板取付部２５には、光源部４１のＬＥＤ光源モジュール４４を固定するための取付孔２５２が形成されている。
【００２４】
第１保護部材取付部２６、及び第２保護部材取付部２７は、保護カバー６０を構成する保護部材６１が取り付けられる部分である。図３、図５に示すように、第１保護部材取付部２６、及び第２保護部材取付部２７は、器具本体２１の照射面側に突出するリブ状に形成されている。器具本体２１の取付面側に対する、第１保護部材取付部２６、及び第２保護部材取付部２７の照射面側への突出量はそれぞれＬ２としている。
【００２５】
図４に示すように、第１保護部材取付部２６、及び第２保護部材取付部２７は、それぞれ複数形成されている。複数の第１保護部材取付部２６は、収容部２３と基板取付部２５との間の領域において仮想の同一円周上に配列されている。複数の第２保護部材取付部２７は、基板取付部２５よりも器具本体２１の半径方向外側の領域において仮想の同一円周上に配列されている。
【００２６】
図５に示すように、第１保護部材取付部２６、及び第２保護部材取付部２７の照射面側への突出量Ｌ２は、基板取付部２５の照射面側への突出量Ｌ１よりも大きく設定されている。第１保護部材取付部２６、及び第２保護部材取付部２７の照射面側への突出量Ｌ２と、基板取付部２５の照射面側への突出量Ｌ１は、それぞれ、図３に示すように、基板取付部２５に光源部４１を配置し、第１保護部材取付部２６、及び第２保護部材取付部２７部に保護部材６１を配置した状態で、光源部４１と、保護部材６１とが非接触状態となるように設定されている。
【００２７】
図４に示すように、第１保護部材取付部２６には、隣接する基板取付部２５の間に形成される間隔２５１に対応する位置に、器具本体２１の半径方向外側に向けて凸部２６１が形成されている。凸部２６１には、保護部材６１を固定するための取付孔２６２が形成されている。各第１保護部材取付部２６に形成される凸部２６１と凸部２６１の間には、収容部カバー２８と保護部材６１を固定するための取付孔２６３が形成されている。
【００２８】
第２保護部材取付部２７には、隣接する基板取付部２５の間に形成される間隔２５１に対応する位置に、器具本体２１の半径方向内側に向けて凸部２７１が形成されている。凸部２７１には、保護部材６１を固定するための取付孔２７２が形成されている。また、隣接する間隔２５１と間隔２５１の中間となる位置には、器具本体２１の半径方向内側に向けて凸部２７３が形成されている。凸部２７３には、保護部材６１を固定するための取付孔２７４が形成されている。尚、保持部２９が形成されている位置には、凸部２７１及び凸部２７３が形成できないため、円形の凸部２７５が形成され、そこに取付孔２７６が形成されている。
【００２９】
図３、図８に示すように、光源部４１は、複数のＬＥＤ光源モジュール４４を有している。本実施形態では、光源部４１は、基板取付部２５に対応して、８枚のＬＥＤ光源モジュール４４で構成されている。各ＬＥＤ光源モジュール４４は、基板４３上に複数のＬＥＤ素子４２が実装されて構成されている。複数のＬＥＤ素子４２のうち、一部の素子が常夜灯として使用する素子に設定されており、残りの素子は、主光源用として設定されている。本実施形態では、８枚のＬＥＤ光源モジュール４４のうち、２枚のＬＥＤ光源モジュール４４に常夜灯として用いるＬＥＤ素子４２Ａが設定されている。各ＬＥＤ光源モジュール４４につき、常夜灯として使用するＬＥＤ素子４２Ａは、１素子である。
【００３０】
図３、図８に示すように、ＬＥＤ光源モジュール４４は、基板取付部２５に配置される。ＬＥＤ光源モジュール４４の平面形状は、基板取付部２５に取り付け可能な大きさで、かつ、隣接して配置されるＬＥＤ光源モジュール４４の基板４３の間に間隙４５が確保される形状とする。図８に示すように、複数のＬＥＤ光源モジュール４４は、基板取付部２５に配置された状態では、器具本体２１の半径方向に一定の幅を有する円環状に配列される。常夜灯として使用するＬＥＤ素子４２Ａが設定された２枚のＬＥＤ光源モジュール４４は、器具本体２１の直径方向に対向して配置されている。ＬＥＤ光源モジュール４４は、基板取付部２５に形成された取付孔２５２に対応する位置に貫通孔（図示せず）が形成されており、ボルト４６を用いて基板取付部２５に取り付けられる。
【００３１】
図３、図６〜図９に示すように、保護カバー６０は、器具本体２１とセード５１との間において、光源部４１を覆うように配置される部材である。保護カバー６０は、複数の保護部材６１で構成されている。保護部材６１は、透光性を有しており、例えば透光性を有する樹脂シート素材で形成されている。本実施形態では、ＬＥＤ光源モジュール４４に対応して８枚の保護部材６１を有しており、各保護部材６１は、基板取付部２５に配置された各ＬＥＤ光源モジュール４４に対応して配置される。保護部材６１の形状は、ＬＥＤ光源モジュール４４を覆うことができるよう、各ＬＥＤ光源モジュール４４の形状よりもやや大きい形状である。
【００３２】
図２、図６、図７、図９に示すように、複数の保護部材６１のうち、常夜灯として使用するＬＥＤ素子４２Ａが設定されたＬＥＤ光源モジュール４４に対応する保護部材６１Ａには、光拡散部６５を設けている。本実施形態では、光拡散部６５は、保護部材６１Ａに光拡散部材６６を固定して形成されている。光拡散部材６６は、透光性を有する樹脂シート素材で形成されており、一方の面に光拡散処理としてシボ（微少な凹凸）が形成されている。光拡散部材６６を固定する位置は、常夜灯として使用するＬＥＤ素子４２Ａに対応する位置であり、光拡散部材６６の中央部がＬＥＤ素子４２Ａの照射面側に位置するようにしている。光拡散部材６６の保護部材６１Ａへの固定は、両面テープや接着剤を用いた貼着手段等で行う。
【００３３】
保護部材６１は、第１保護部材取付部２６、及び第２保護部材取付部２７に配置される。より具体的には、保護部材６１は、第１保護部材取付部２６の凸部２６１、第２保護部材取付部２７の凸部２７１、凸部２７３、及び凸部２７５に跨るように配置される。図６に示すように、第１保護部材取付部２６の凸部２６１の取付孔２６２、及び第２保護部材取付部２７の凸部２７１の取付孔２７２、凸部２７３の取付孔２７４、及び凸部２７５の取付孔２７６に対応する位置には、貫通孔６２が形成されている。また、第１保護部材取付部２６の取付孔２６３に対応する位置には、切欠部６３が形成されている。
【００３４】
図９に示すように、各保護部材６１は、基板取付部２５に配置された各ＬＥＤ光源モジュール４４を覆うように配置され、ボルト６８を用いて第１保護部材取付部２６の凸部２６１、及び第２保護部材取付部２７の凸部２７１、凸部２７３、及び凸部２７５に取り付けられる。
【００３５】
ここで、隣接して配置される保護部材６１は、端部６４を重複させた状態で、第１保護部材取付部２６の凸部２６１、及び第２保護部材取付部２７の凸部２７１に跨るように配置される。図７に示すように、重複させた端部６４は、間隙４５の照射面側に重なるように配置される。
【００３６】
図２に示すように、器具本体２１に、ＬＥＤ光源モジュール４４、及び保護部材６１を取り付けた後、収容部カバー２８を器具本体２１に取り付ける。このとき、収容部カバー２８のフランジ部２８１で保護部材６１の一部を押圧する。ボルト６９をフランジ部２８１の貫通孔２８２に通して取付孔２６３に固定すると、収容部カバー２８と保護部材６１とを同時に固定することができる。尚、保護部材６１の切欠部６３は、取付孔２６３の位置に対応しているため、フランジ部２８１と第１保護部材取付部２６との間に保護部材６１の一部を介在させた状態とすることができる。
【００３７】
以上説明した本実施形態に係る照明器具１１によれば、次のような効果を有する。
【００３８】
照明器具１の保護カバー６０は、器具本体２１とセード５１との間において光源部４１を覆うように配置されるとともに、少なくとも常夜灯として使用するＬＥＤ素子４２Ａに対応する位置に光拡散部６５を有する。光拡散部６５は、常夜灯として使用するＬＥＤ素子４２Ａから照射される光を拡散させる。このため、常夜灯を点灯した状態において、セード５１に局所的に明るい部分や暗い部分が生じにくく、常夜灯点灯時の外観体裁を良好にすることができる。
【００３９】
照明器具１１の光拡散部６５は、保護カバー６０の保護部材６１に設けられる光拡散部材６６である。このため、保護カバー６０全体に光拡散処理を行う必要がなく、光拡散部６５を安価に設けることができる。また、光拡散部６５が狭い範囲に設けられるため、主光源からの光束低下を生じさせにくい。
【００４０】
以上、本発明の実施形態について説明したが、本発明は上記実施例に限定されるものではなく、様々な変更が可能である。例えば、照明器具１１の光拡散部６５は、保護部材６１に光拡散部材６６を設けることで形成したが、これに限定されない。例えば、常夜灯として使用するＬＥＤ素子４２Ａが設定されたＬＥＤ光源モジュール４４に対応する保護部材６１Ａの全体に光拡散処理を施してもよい。この場合、光拡散部６５は、常夜灯として使用するＬＥＤ素子４２Ａを確実に覆うため、常夜灯として使用するＬＥＤ素子４２Ａから照射される光をより確実に拡散させることができる。
【００４１】
また、常夜灯として使用するＬＥＤ素子４２Ａが設定されたＬＥＤ光源モジュール４４に対応する保護部材６１Ａだけでなく、保護カバー６０を構成する保護部材６１、及び保護部材６１Ａの全体に光拡散処理を施してもよい。この場合、光拡散部６５の有無で保護部材６１、６１Ａを使い分ける必要がなくなり、部品点数を削減することができる。
【００４２】
また、例えば、照明器具１１は丸型としたが、角型やその他の形状としてもよい。また、シーリングライトの他、ペンダントライト等に適用してもよい。
【００４３】
本実施形態の基板取付部２５、第１保護部材取付部２６、及び第２保護部材取付部２７等の形状や、ＬＥＤ光源モジュール４４及び保護部材６１等の形状や枚数は一例であり、本実施形態の形状や枚数に限定されるものではない。例えば、照明器具１１の形状が丸型以外の角型やその他の形状である場合には、それに応じた形状や枚数とすることができる。
【符号の説明】
【００４４】
１１    照明器具
２１    器具本体
２３    収容部
２４    取付穴
２５    基板取付部
２６    第１保護部材取付部
２７    第２保護部材取付部
３１    電源装置
４１    光源部
４２    ＬＥＤ素子
４３    基板
４４    ＬＥＤ光源モジュール
５１    セード
６０    保護カバー
６１    保護部材
６５    光拡散部
６６    光拡散部材
【図１】
2014049350.tif 000003
【図２】
2014049350.tif 000004
【図３】
2014049350.tif 000005
【図４】
2014049350.tif 000006
【図５】
2014049350.tif 000007
【図６】
2014049350.tif 000008
【図７】
2014049350.tif 000009
【図８】
2014049350.tif 000010
【図９】
2014049350.tif 000011